(57)【特許請求の範囲】
【請求項１】
金属板からなり、方形状の天板と前記天板の四方を側壁と一対の取付脚で囲まれた箱形の枠体と、前記枠体に取り付けられ、電子部品が搭載されて所望の電気回路を形成した回路基板とを備え、前記回路基板には複数個の貫通孔が設けられ、前記一対の取付脚は前記天板と略同一面に設けられた上腕部と、前記上腕部と繋がり前記側壁と略同一面に設けられた下腕部と、前記下腕部と繋がって設けられ前記貫通孔に挿入される挿入部と、前記挿入部の側縁から突出する凸部を有し、一対の前記取付脚の前記凸部は、前記貫通孔内に挿入されて前記貫通孔の内壁に弾接し前記回路基板を保持することを特徴とする電子回路ユニット。
【請求項２】
前記上腕部と前記下腕部が同一幅であり、前記下腕部より前記挿入部の幅が狭いことを特徴とする請求項１に記載の電子回路ユニット。
【請求項３】
前記凸部は互いに向かい合う方向、あるいは互いに反対方向に突出して設けられていることを特徴とする請求項１または２に記載の電子回路ユニット。
【請求項４】
前記上腕部及び前記下腕部が前記側壁の端部に設けられていることを特徴とする請求項１ないし３のいずれか１項に記載の電子回路ユニット。
【発明の詳細な説明】
【技術分野】
【０００１】
本発明は、携帯電話機に使用される送受信ユニット等に適用して好適な電子回路ユニットに関する。
【背景技術】
【０００２】
この種の従来技術として、特許文献１に記載に示されるものがある。この従来技術は図５に示すように、金属板からなる枠体９０１は、四方を囲む４つの側壁９０２と、この側壁９０２の一方に設けられた開口部９０３と、側壁９０２の他方の開口を塞ぐ塞ぎ壁９０４を有している。また、側壁９０２には、開口部９０３の端部９０２ａから突出した複数個の取付脚９０２ｂが設けられ、この取付脚９０２ｂは、側壁９０２に対して直角に枠体９０１内方向に延びる第1の延設部９０２ｃ、及びこの第1の延設部９０２ｃの端部から開口部３方向に側壁９０２と平行に延びる第２の延設部９０２ｄとからなる腕部９０２ｅと、側壁９０２の厚み方向と直交する幅方向に形成されて。腕部９０２ｅの端部近傍に設けられて丸味を持たせた凸部９０２ｆを有している。
【０００３】
１個の側壁９０２には、2個で対となった取付脚９０２ｂが間隔を置いて設けられ、この一対の取付脚９０２ｂの凸部９０２ｆは、互いに反対方向に突出して配置されると共に、腕部９０２ｅの先端から凸部９０２ｆの頂部間に位置する凸部９０２ｆの外面は、傾斜面９０２ｇに形成されている。
【０００４】
回路基板９０５は、取付脚９０２ｂの凸部９０２ｆに対応して設けられた複数個の貫通孔９０５ａを有している。この回路基板９０５は、枠体９０１の開口部９０３を塞ぐように、側壁９０２の端部９０２ａ上に載置されている。この回路基板９０５の取付時には、凸部９０２ｆの傾斜面９０２ｇが貫通孔９０５ａのエッジ部に当接して、腕部９０２ｅが傾斜面９０２ｇに沿って変形すると共に、凸部９０２ｆの全体が貫通孔９０５ａ内に位置すると、凸部９０２ｆの頂部が貫通孔９０５ａ内の壁面に弾接し、一対の取付脚９０２ｂによって、回路基板９０５を保持するようになっている。
【０００５】
このように構成された電子回路ユニットは、枠体９０１と回路基板９０５との間にガタツキがなく、リフローによる半田付け等においても、枠体９０１と回路基板９０５の取付位置が一定して、精度のよい取り付けが出来る。
【先行技術文献】
【特許文献】
【０００６】
【特許文献１】特許第４５０２８６２号
【発明の概要】
【発明が解決しようとする課題】
【０００７】
このように従来の電子回路ユニットは、回路基板９０５の貫通孔９０５ａに挿入される一対の取付脚９０２ｂの凸部９０２ｆによって回路基板９０５を保持する構造となっているが、形状が複雑であるため、加工が容易でないという問題があった。また、取付脚９０２ｂは、幅方向にバネ性が無く、従って、凸部９０２ｆによって貫通孔９０５ａの内壁が凸部９０２ｆの押し込み方向（貫通孔９０５ａの中心線と平行）に直線状に削られるため、枠体９０１の押し込み方向と逆方向への支持が弱くなって、枠体９０１と回路基板９０５との間の仮止めが弱くなり、結果として客先にてリフローする際に脱落してしまうという問題がある。
【０００８】
本発明は、上記事情を鑑みてなされたもので、その目的は、枠体を容易に回路基板に取り付けることができ、仮止めを確実に行う電子回路ユニットを提供することにある。
【課題を解決するための手段】
【０００９】
この目的を達成するために、金属板からなり、方形状の天板と前記天板の四方を側壁と一対の取付脚で囲まれた箱形の枠体と、前記枠体に取り付けられ、電子部品が搭載されて所望の電気回路を形成した回路基板とを備え、前記回路基板には複数個の貫通孔が設けられ、前記一対の取付脚は前記天板と略同一面に設けられた上腕部と、前記上腕部と繋がり前記側壁と略同一面に設けられた下腕部と、前記下腕部と繋がって設けられ前記貫通孔に挿入される挿入部と、前記挿入部に設けられ突出する凸部を有し、一対の前記取付脚の前記凸部は、前記貫通孔内に挿入されて前記貫通孔の内壁に弾接し前記回路基板を保持することを特徴とする。
【００１０】
このように構成した本発明は、一対の取付脚が上腕部と下腕部および凸部を有する挿入部で形成されていることにより、取付脚を回路基板の貫通孔に挿入する際に取付脚が撓み、その結果枠体を回路基板に容易にとりつけることができる。また、取付脚が撓むことにより、取付脚の凸部は貫通孔の内壁を直線状に削りにくくなるため、枠体の押し込み方向と逆方向への支持が弱くなるのを抑えることができ、挿入後は一対の取付脚の凸部が貫通孔の内壁に弾接して回路基板を保持することにより、枠体と回路基板との仮止めを確実に行うことができる。
【００１１】
また、前記上腕部と前記下腕部が同一幅であり、前記下腕部より前記挿入部の幅が狭いことを特徴とする。
【００１２】
このように構成した本発明は、上腕部と下腕部が挿入部よりも幅が狭いことにより、取付脚を回路基板の貫通孔に挿入する際に、上腕部の変形を抑えることができる。
【００１３】
また、前記凸部は互いに向かい合う方向、あるいは互いに反対方向に突出して設けられていることを特徴とする。
【００１４】
このように構成した本発明は、一対の挿入部に設けられた凸部が、互いに向かい合う方向、あるいは互いに反対方向に突出して設けられていることにより、一対の挿入部に設けられた凸部が回路基板の貫通孔の内壁を挟み込む、または押し拡げる方向に弾接する。よって、枠体を回路基板に確実に固定することができる。
【００１５】
また、前記上腕部及び前記下腕部が前記側壁の端部に設けられていることを特徴とする。
【００１６】
このように構成した本発明は、取付脚が端部に設けられているので、回路基板の貫通孔を基板の隅に配置することが可能であり、電子部品やパターン配線を効率よく配置することができる。
【発明の効果】
【００１７】
以上のように本発明によれば、一対の取付脚が上腕部と下腕部および凸部を有する挿入部で形成されていることにより、取付脚を回路基板の貫通孔に挿入する際に、上腕部が捻られる形で取付脚が変形し、枠体を容易に回路基板に取り付けることが出来る。
【図面の簡単な説明】
【００１８】
【図１】本発明の第１実施形態による電子回路ユニットの分解斜視図である。
【図２】本発明の第1実施形態による電子回路ユニットの、取付脚と回路基板の取付状態を示す図１のＥ−Ｅ線での拡大断面図である。
【図３】本発明の第２実施形態による電子回路ユニットの、取付脚と回路基板の取付状態を示す図１のＥ−Ｅ線での拡大断面図である。
【図４】本発明の第３実施形態による電子回路ユニットの枠体の斜視図である。
【図５】従来の電子回路ユニットを説明する分解斜視図である。
【発明を実施するための形態】
【００１９】
図１は本発明の第１実施形態による電子回路ユニットの分解斜視図、図２は本発明の第1実施形態による電子回路ユニットの、取付脚と回路基板の取付状態を示す図１のＥ−Ｅ線での拡大断面図、図３は本発明の第２実施形態による電子回路ユニットの、取付脚と回路基板の取付状態を示す図１のＥ−Ｅ線での拡大断面図、図４は本発明の第３実施形態による電子回路ユニットの枠体の斜視図、図５は従来の電子回路ユニットを説明する分解斜視図である。
【００２０】
本実施形態の電子回路ユニットの構成について説明すると、図１に示すように、枠体１と回路基板６によって構成されている。
【００２１】
枠体１は金属板からなり、方形状の天板２と、天板２の四方を側壁３と２箇所の一対の取付脚５とで囲むように形成されている。
【００２２】
側壁３は、短手方向に形成された側壁３ａと、長手方向に形成された側壁３ｂおよび３ｃとを有している。なお、側壁３ａ、３ｂおよび３ｃは本実施形態における一例であり、
例えば長手方向に側壁３ａが設けられ、短手方向に側壁３ｂおよび３ｃが設けられていてもよい。
【００２３】
取付脚５は、２個で一対となっており、天板２と略同一面に設けられた上腕部５ａと、側壁３ｂおよび側壁３ｃと略同一面に設けられ、上腕部５ａと同一幅で形成された下腕部５ｂと、後述する貫通孔６ａに挿入可能な挿入部５ｃとを有している。また、取付脚５と側壁３ｂおよび３ｃとの間には、天板２の端部近傍から側壁３の端部３ｄまで延びるスリット１ａが形成されており、このスリット１ａに挟まれるように一対の取付脚５が設けられている。
【００２４】
また、この挿入部５ｃには、側壁３の厚み方向と直交する幅方向に形成され、図２に示すように端部近傍に設けられて丸味を持たせた凸部５ｄを有する。この一対の取付脚５は所定の間隔を置いて設けられ、この一対の取付脚５の凸部５ｄは、互いに向かい合う方向に突出して配置されると共に、挿入部５ｃの先端から凸部５ｄの頂部間（上方部側）に位置する凸部５ｄの外面は、傾斜面５ｅに形成されている。
【００２５】
回路基板６は、配線パターン６ｂが設けられると共に、種々の電子部品（図示せず）が搭載されて、所望の電気回路が形成されており、また、回路基板６に設けられた貫通孔６ａの内壁には、導電体６ｃが設けられ、この導電体６ｃは、配線パターン６ｂに接続されている。
【００２６】
このような構成を有する回路基板６は、枠体１の開口部４を塞ぐように、電子部品（図示せず）が枠体１内に収納された状態で、側壁３の開口部４上に載置されて、下方向（上下方向）の位置決めが行われる。
【００２７】
また、回路基板６の取付時、凸部５ｄの傾斜面５ｅが貫通孔６ａのエッジ部に当接して、上腕部５ａと下腕部５ｂおよび挿入部５ｃが傾斜面５ｅに沿って変移する。このとき、上腕部５ａと下腕部５ｂが設けられていることにより、挿入部５ｃが貫通孔６ａに挿入される際に凸部５ｄと反対方向（矢印Ａ１と反対方向）に変形しやすいため挿入が容易になり、貫通孔６ａの内壁が凸部５ｄによって削られることを抑えることができる。また、貫通孔６ａに枠体１を挿入するために必要な荷重を下げることができるため、組立ての際には、より多くの回路基板６に枠体１を一度に挿入することが可能となり、生産性が向上する。
【００２８】
そして、凸部５ｄの全体が貫通孔６ａ内に位置すると、図２に示すように、凸部５ｄの頂部が貫通孔６ａ内の壁面に弾接し、一対の取付脚５によって、回路基板６を矢印Ａ１方向に弾圧して、回路基板６を保持するようになっている。この時、挿入部５ｃの先端部は、回路基板６の外表面から突出しない状態にあると共に、凸部５ｄの背面と貫通孔６ａ内の壁面との間には、隙間が存在した状態となっている。
【００２９】
そして、貫通孔６ａ内に位置した取付脚５の挿入部５ｃと導電体６ｃは、貫通孔６ａ内で半田（図示せず）が付けられて、枠体１は、挿入部５ｃを経由して導電体６ｃに接続されて接地された構成となり、枠体１内の電子部品（図示せず）は、天板２と側壁３，および導電体６ｃによって電気的にシールドされた状態となる。この半田の半田付けは、貫通孔６ａ内にクリーム半田が充填された状態で、リフロー炉に搬送されて、その半田の半田付けが行われるが、回路基板６は、取付脚５の挿入部５ｃによって保持された状態になっているため、搬送時等におけるガタツキが無く、精度の良い取付ができる。
【００３０】
本実施例では、上腕部５ａおよび下腕部５ｂと挿入部５ｃの幅が異なっているが、挿入部５ｃを貫通孔６ａに挿入する際に、貫通孔６ａの内壁を削らないような構成であればよく、例えば上腕部５ａと下腕部５ｂおよび挿入部５ｃをすべて同じ幅で形成してもよい。
【００３１】
また、図３は本発明の電子回路ユニットの第２実施形態を示し、この第２実施形態は、一対の取付脚５に設けられた凸部５ｄが互いに反対方向に突出するように配置され、この一対の取付脚５によって、回路基板６を矢印Ａ２方向に弾圧して、回路基板６を保持するようになっている。 その他の構成は、前記第１実施例と同様の構成を有し、同一部品に同一番号を付し、ここではその説明を省略する。このような構成の電子回路ユニットにおいても、取付脚５に設けられた凸部５ｄが回路基板６の貫通孔６ａの壁面に弾接して回路基板６を保持することができるので、実施例１と同様の効果が得られる。
【００３２】
また、図４は本発明の電子回路ユニットの第３実施形態を示し、この第３実施形態は、取付脚５が天板２の４隅近傍に配置されている。この構成においては、取付脚５に隣接するスリット１ａは１つであるが、スリット１ａが天板２まで入れられていることにより、取付脚５の凸部５ｄは回路基板６の貫通孔６ａに容易に挿入可能であり、挿入後は回路基板６を保持することができる。また、回路基板６の貫通孔６ａを回路基板６の隅に設けることにより、効率の良い回路パターンの形成を行うことができる。
【符号の説明】
【００３３】
１    枠体
２    天板
３    側壁
３ａ    側壁
３ｂ    側壁
３ｃ    側壁
３ｄ    端部
４    開口部
５    取付脚
５ａ    上腕部
５ｂ    下腕部
５ｃ    凸部
６    回路基板
６ａ    貫通孔
【図１】
0005588312.tif 000002
【図２】
0005588312.tif 000003
【図３】
0005588312.tif 000004
【図４】
0005588312.tif 000005
【図５】
0005588312.tif 000006